(57)【要約】  【課題】補修・リフォーム時の軒樋に合わせて軒樋吊金具を効率良く容易に交換できる軒樋吊金具構造を提供することを目的とする。  【解決手段】軒樋吊金具１１は吊金具本体１６と固着部１７から成り、吊金具本体１６は上部水平材１６ａと下部水平材１６ｂを垂直材１６ｃで断面Ｈ型に形成され、固着部１７が建物の軒先の鼻板１８にネジ等の固着具１８ａで固着される。吊金具本体１６は略水平状の前部吊金具本体２１と後部吊金具本体２２の二分割に形成され、前部吊金具本体２１と後部吊金具本体２２を連結する連結部２３としての凸状部２４と凹状部２５がそれぞれ後部吊金具本体２２と前部吊金具本体２１に組み込まれる。平面視で凸状部２４は略台形状で、凹状部２５は一対の矩形弾性板２６ａから成る保持部２６と基部２７とで収納部２６ｂが形成され、凸状部２４を係止する一対の係止部２６ｃが一対の矩形弾性板２６ａの先端部に形成される。【選択図】  図２
2009174212.tif 000002
【特許請求の範囲】
【請求項１】
軒先の鼻板に取付けられる軒樋用の軒樋吊金具構造であって、
軒樋は前壁と後壁と底壁から成り、前壁の上端部に第一突起と後壁の上端部に第二突起を備え、
前記軒樋吊金具は吊金具本体と鼻板に固着する固着部から成り、前記吊金具本体は略水平状の前部吊金具本体と後部吊金具本体で形成され、前部吊金具本体の先端部に前記第一突起を係止する第一係止部を備えるとともに後部吊金具本体の後端部に前記第二突起を係止する第二係止部を備え、
前記前部吊金具本体と前記後部吊金具本体は凸状部と凹状部から成る連結部を介して嵌合連結され、前記凸状部と前記凹状部はそれぞれ前記前部吊金具本体と前記後部吊金具本体のどちらかに対向して設けられることを特徴とする軒樋吊金具構造。
【請求項２】
請求項１に記載の軒樋吊金具構造であって、前記凸状部は後部吊金具本体から突出せず前記凹状部は前部吊金具本体から突出して配置され、前記凸状部は水平断面視略台形の柱状で前記凹状部は一対の矩形弾性板が基部で連結して成る水平断面視凹型の柱状に形成され、前記凹状部に前記凸状部を嵌合して係止する一対の係止部が前記一対の矩形弾性板に形成されることを特徴とする軒樋吊金具構造。
【請求項３】
請求項１又は請求項２に記載の軒樋吊金具構造であって、前記一対の係止部は前記凸状部を挿入ガイドする傾斜面を備えることを特徴とする軒樋吊金具構造。
【発明の詳細な説明】
【技術分野】
【０００１】
本発明は、建築物の軒先に取付けられる軒樋用の軒樋吊金具構造に関し、詳しくは、補修・リフォーム時に軒樋吊金具を効率良く交換できる軒樋吊金具構造に関する。
【背景技術】
【０００２】
従来、建築物の軒先の鼻板に取付けられる軒樋は、経年後の補修・リフォーム時に形状の異なる新替え軒樋に合わせて軒樋吊金具を取替える場合がある。このとき、軒樋吊金具を鼻板から取外す作業は鼻板周辺の防火用化粧板や鋼板等を損傷するため修復工事費用が嵩むという問題があった。
【０００３】
この問題を解決する方法が特許文献１に開示されている。図７に示すように、軒樋吊金具４０は吊金具本体Ｒ１と固着部Ｒ２で構成され、吊金具本体Ｒ１は軒樋支持部１と基部２から成り基部２には支持ボルト３が植設されている。吊金具本体Ｒ１は図示しない軒樋の両上縁部を係止する係止部４、５を設け、係止部４、５は下方に垂下して相対する方向に湾曲して形成され、係止部５に案内板６が垂下形成される。そして、固着部Ｒ２は調節部８と固定板部９から成り、調節部８に支持ボルト３を螺入する雌ネジ部７が設けられる。
【０００４】
軒樋吊金具４０の取付けは、固着部Ｒ２が固定板部９を介して図示しない鼻板に固定され、固着部Ｒ２の調節部８の雌ネジ部７に螺入する吊金具本体Ｒ１の支持ボルト３の螺入深さにより軒樋支持部１の鼻板からの距離調整が行われる。そして、この吊金具本体Ｒ１の係止部４、５に図示しない軒樋の両上縁部を係止することにより軒樋が係止される。
【０００５】
この軒樋吊金具４０であれば、軒樋の補修・リフォーム時に軒樋吊金具４０全体を鼻板から取外して取替える必要がなくなり吊金具本体Ｒ１の取替えだけで実施できる。また、吊金具本体Ｒ１の支持ボルト３の螺入深さの調整により鼻板からの軒樋支持部１の位置調整も簡単に行える。
【特許文献１】実公平６−１３９３２号公報
【発明の開示】
【発明が解決しようとする課題】
【０００６】
ところが、支持ボルト３による位置調整では、軒樋支持部１を回転するので位置調整に相当の時間が掛かるため作業効率が良くなかった。また、異なる形状の軒樋に交換する場合は軒樋支持部１全体を廃棄して新品を取付ける必要があるので資源の無駄に繋がるという問題があった。
【０００７】
そこで、本発明はかかる従来技術の問題に鑑みなされたものであって、リフォーム時に異なる形状の軒樋に合わせて軒樋吊金具を効率良く容易に交換できる軒樋吊金具構造を提供することを目的とする。
【課題を解決するための手段】
【０００８】
請求項１の発明は、軒先の鼻板に取付けられる軒樋用の軒樋吊金具構造であって、軒樋は前壁と後壁と底壁から成り、前壁の上端部に第一突起と後壁の上端部に第二突起を備え、前記軒樋吊金具は吊金具本体と鼻板に固着する固着部から成り、前記吊金具本体は略水平状の前部吊金具本体と後部吊金具本体で形成され、前部吊金具本体の先端部に前記第一突起を係止する第一係止部を備えるとともに後部吊金具本体の後端部に前記第二突起を係止する第二係止部を備え、前記前部吊金具本体と前記後部吊金具本体は凸状部と凹状部から成る連結部を介して嵌合連結され、前記凸状部と前記凹状部はそれぞれ前記前部吊金具本体と前記後部吊金具本体のどちらかに対向して設けられることを特徴としている。
【０００９】
請求項２の発明は、請求項１に記載の軒樋吊金具構造であって、前記凸状部は後部吊金具本体から突出せず前記凹状部は前部吊金具本体から突出して配置され、前記凸状部は水平断面視略台形の柱状で前記凹状部は一対の矩形弾性板が基部で連結して成る水平断面視凹型の柱状に形成され、前記凹状部に前記凸状部を嵌合して係止する一対の係止部が前記一対の矩形弾性板に形成されることを特徴としている。
【００１０】
請求項３の発明は、請求項１又は請求項２に記載の軒樋吊金具構造であって、前記一対の係止部は前記凸状部を挿入ガイドする傾斜面を備えることを特徴としている。
【発明の効果】
【００１１】
請求項１記載の発明によれば、前記吊金具本体は略水平状の前部吊金具本体と後部吊金具本体で形成され、前記前部吊金具本体と前記後部吊金具本体は凸状部と凹状部から成る連結部を介して嵌合連結され、前記凸状部と前記凹状部はそれぞれ前記前部吊金具本体と前記後部吊金具本体のどちらかに対向して設けられる。
【００１２】
このため、リフォーム時に形状の異なる軒樋に交換する場合、前記前部吊金具本体を取外して交換するだけで既存の軒樋吊金具の前記後部吊金具本体は取外さずに再使用できるので効率が良く且つ資源節約できる構成である。また、前記後部吊金具本体を鼻板から取外す必要がないので鼻板周辺が損傷しないのでリフォームコストが低減できる。
【００１３】
請求項２の発明によれば、前記凸状部は後部吊金具本体から突出しないように形成されるとともに前記凹状部は前部吊金具本体から突出して形成されるので、リフォーム時に前部吊金具本体を取外した状態で後部吊金具本体から前記凸状部が突出さないため、新しい前部吊金具本体に取替えるまでの間に前記凸状部が損傷することがなく、請求項１の効果と同様の効果が得られる。
【００１４】
また、前記凸状部は水平断面視略台形の柱状で前記凹状部は一対の矩形弾性板が基部で連結して成る水平断面視凹型の柱状に形成され、前記凹状部に前記凸状部を嵌合して係止する一対の係止部が前記一対の矩形弾性板に形成されるので、前記凸状部は前記凹状部に容易且つ確実に安定して保持できる。
【００１５】
請求項３の発明によれば、前記一対の係止部は前記凸状部を挿入ガイドする傾斜面を備えるので、この傾斜面に沿って略台形状の前記凸状部は前記凹状部に容易に誘導できるので組付けの作業効率が向上し、請求項１の効果と同様の効果が得られる。
【発明を実施するための最良の形態】
【００１６】
＜軒樋吊金具構造の構成＞  
以下に、本発明の第一の実施形態を図１〜図６に基づいて説明する。
【００１７】
図１、図２、図３、図４に示すように、軒樋吊金具１１に吊下げられる軒樋１２は略垂直の前壁１２ａと後壁１２ｂと略水平の底壁１２ｃから成り、前壁１２ａの上端部に軒樋１２の内部側に突出する前耳としての第一突起１３と後壁１２ｂの上端部に軒樋１２の内部側に突出する後耳としての第二突起１４を備える。
【００１８】
軒樋吊金具１１は略水平状の吊金具本体１６と固着部１７から成り、吊金具本体１６は上部水平材１６ａと下部水平材１６ｂを垂直材１６ｃで断面Ｈ型に形成され、固着部１７が建物の軒先の鼻板１８にネジ等の固着具１８ａを介して固着される。
【００１９】
吊金具本体１６は前部吊金具本体２１と後部吊金具本体２２の二分割で形成され、前部吊金具本体２１の先端部に軒樋１２の第一突起１３を係止する第一係止部２１ａを備えるとともに後部吊金具本体２２の後端部に軒樋１２の第二突起１４を係止する第二係止部２２ａを備える。
【００２０】
そして、前部吊金具本体２１と後部吊金具本体２２を連結する連結部２３としての凸状部２４と凹状部２５がそれぞれ後部吊金具本体２２と前部吊金具本体２１に組み込まれる。この凸状部２４を凹状部２５に嵌合することによって前部吊金具本体２１と後部吊金具本体２２が連結される。
【００２１】
凸状部２４は水平断面視略台形の柱状で上底２４ａが後部吊金具本体２２から突出しないように後部吊金具本体２２の先端部２２ｂに沿って形成される。なお、上底２４ａは下底２４ｂより狭く形成され、下底２４ｂは垂直材１６ｃに固着され、凸状部２４の上下面は上部水平材１６ａと下部水平材１６ｂにそれぞれ固着される。
【００２２】
凹状部２５は水平断面視凹型の柱状で、一対の矩形弾性板２６ａから成る保持部２６と基部２７が連結して矩形凹状の収納部２６ｂが形成され、保持部２６が前部吊金具本体２１の前端部２１ｂから突出して形成される。より詳しくは、基部２７は水平断面が略台形状で基部２７の下底２７ａに一対の矩形弾性板２６ａが連結するとともに下底２７ａが前部吊金具本体２１の前端部２１ｂに沿って形成される。上底２７ｂは下底２７ａより狭く形成されて垂直材１６ｃに固着される。基部２７の上下面は上部水平材１６ａと下部水平材１６ｂにそれぞれ固着される。
【００２３】
この収納部２６ｂに凸状部２４を嵌合した状態で凸状部２４を係止するために一対の係止部２６ｃが一対の矩形弾性板２６ａの先端部に形成され、係止部２６ｃの収納部２６ｂ側の面２６ｅは下底２７ａに平行に形成される。そして、一対の係止部２６ｃは互いに対向する傾斜面２６ｄを備えるので、水平断面が略台形状の凸状部２４を容易にガイドしながら収納部２６ｂ内に誘導することができる。
【００２４】
ここで、収納部２６ｂに於ける係止部２６ｃと基部２７間の深さＳ１は凸状部２４の高さＳ２と等しく、一対の矩形弾性板２６ａの隙間幅Ｔ１と凸状部２４の下底２４ｂの長さＴ２は等しく、さらに、略台形状の凸状部２４の下底２４ｂの近傍における両辺２４ｃは高さＨの領域が下底２４ｂと同じ幅Ｔ２で形成される。
【００２５】
このため、凸状部２４を収納部２６ｂに挿入するだけで一対の矩形弾性板２６ａによって凸状部２４を凹状部２５の収納部２６ｂ内にガタなく安定して保持することができる。
【００２６】
吊金具本体１６の材質はステンレスや亜鉛メッキをした金属が用いられる。軒樋１２の材質は、ステンレスや亜鉛メッキをした金属、あるいは軽量化や耐腐食性を考慮して例えば硬質塩化ビニール樹脂等の合成樹脂材料で形成される。
＜軒樋吊金具構造の作用＞
【００２７】
既存の軒樋１２を新しく幅の広い軒樋３０に取替える場合には、図５、図６に示すように、既存の吊金具本体１６の前部吊金具本体２１（長さＬ１）を後部吊金具本体２２（長さＬ２）から取外し、新しい吊金具本体３１用の前部吊金具本体３２（長さＬ３＞長さＬ１）を既設の後部吊金具本体２２に挿入して差換える。これによって、既存の吊金具本体１６（長さＬ１＋長さＬ２）は新しい長尺の吊金具本体３１（長さＬ３＋長さＬ２）に取替えることができる。
【００２８】
このように、古い前部吊金具本体２１を引抜き新しい前部吊金具本体３２を差し込むだけの簡単な作業なので、リフォームが容易に実施できるので現場作業の効率が向上し、資源節約の効果も得られる。既設の後部吊金具本体２２を鼻板１８から外す必要がないので固着部周辺は既存の状態のままなので、鼻板１８の周辺部材を損傷することが無いため、リフォームコストが低減する。さらに、初期の吊金具本体１６の取付け作業時に、吊金具本体１６全体ではなく後部吊金具本体２２だけを先に鼻板１８に取付けるので、嵩張らないためネジ等の固着具１８ａを介して鼻板１８に固着する作業がし易くなり作業効率が向上する。
【００２９】
さらに、新旧の前部吊金具本体の交換時に、後部吊金具本体２２から凸状部２４が突出しないので交換作業時にダメージを受ける可能性を回避できるので施工効率が向上する。
【００３０】
以上、本発明の実施例を図面に基づいて説明したが、具体的な構成はこの実施例に限られるものではなく本発明の要旨を逸脱しない範囲の設計変更等があっても本発明に含まれる。
【００３１】
例えば、既存の軒樋１２と同じ幅・形状の軒樋１２に取替える場合、後部吊金具本体２２に経年損傷が無く前部吊金具本体２１だけが損傷している状況であれば後部吊金具本体２２を取替える必要がなく前部吊金具本体２１だけ交換することができる。
【００３２】
凸状部２４が後部吊金具本体２２から突出し、凹状部２５が前部吊金具本体２１から突出しない構成でも構わない。凸状部２４を前部吊金具本体２１に凹状部２５を後部吊金具本体２２に形成してもよい。
【図面の簡単な説明】
【００３３】
【図１】本発明の実施形態における、軒先の鼻板１８に取付けられた軒樋用の軒樋吊金具１１の状態を示す断面図である。
【図２】本発明の実施形態における、図１のＡ―Ａ矢視図である。
【図３】本発明の実施形態における、凹状部２５の詳細平面図である。
【図４】本発明の実施形態における、凸状部２４の詳細平面図である。
【図５】本発明の実施形態における、前部吊金具本体２１を後部吊金具本体２２から取外した状態を示す側面図である。
【図６】本発明の実施形態における、新しい前部吊金具本体３２を既存の後部吊金具本体２２に連結して幅広の軒樋３０を取付けた状態を示す側面図である。
【図７】従来の吊金具本体Ｒ１と固着部Ｒ２の取付け状態を示す斜視図である。
【符号の説明】
【００３４】
１１  軒樋吊金具
１６  吊金具本体
１６ａ  上部水平材
１６ｂ  下部水平材
１６ｃ  垂直材
１７  固着部
１８  鼻板
１８ａ  固着具
２１  前部吊金具本体
２２  後部吊金具本体
２３  連結部
２４  凸状部
２５  凹状部
２６  保持部
２６ａ  矩形弾性板
２６ｂ  収納部
２６ｃ  係止部
２７  基部
【図１】
2009174212.tif 000003
【図２】
2009174212.tif 000004
【図３】
2009174212.tif 000005
【図４】
2009174212.tif 000006
【図５】
2009174212.tif 000007
【図６】
2009174212.tif 000008
【図７】
2009174212.tif 000009